(57)【要約】【課題】環形状に曲げた線鋼材フックと同じく環形状に曲げた板鋼材フックとがあり、次に板鋼材連結部へ線鋼材被軸部を填め込み双方のフックを連結一体化しＳ形状を成した意外性のある多用途のフックを提供する。【解決手段】請求項１、線鋼材で鋼線枠（１）、両先端部へ被軸部（２）を設け、全体を環形状に仕様することを特徴とする回転Ｓフック。請求項２、板鋼材先端部へカール部（３）、連結部（４）を設け、全体を環形状に仕様することを特徴とする請求項１へ記述した回転Ｓフック。請求項３、板鋼材の連結部（５）へ線鋼材被軸部（６）を填め連結一体化したことを特徴とする請求項１へ記述した回転Ｓフック。【選択図】図３
2006314738.tif 000002
【特許請求の範囲】
【請求項１】
線鋼材で鋼線枠（１）、両先端部へ被軸部（２）を設け、全体を環形状に仕様することを特徴とする回転Ｓフック。
【請求項２】
板鋼材先端部へカール部（３）、連結部（４）を設け、全体を環形状に仕様することを特徴とする請求項１へ記述した回転Ｓフック。
【請求項３】
板鋼材の連結部（５）へ線鋼材被軸部（６）を填め連結一体化したことを特徴とする請求項１へ記述した回転Ｓフック。
【発明の詳細な説明】
【発明の詳細な説明】
【技術分野】
【０００１】  この発明は環形状に曲げた線鋼材フックと同じく環形状に曲げた板鋼材フックとがあり、板鋼材連結部へ線鋼材被軸部を填め双方のフックを連結して一体化しＳ形状を成したフックである、連結点から３６０度上下回転可能である為相手支持物が縦面でも、横面を有する相手物にも対応可能でありこの方法は過去に例を視ない、この為使用範囲も拡がる高機能用具に関する。
【背景技術】
【０００２】  これまで既在するＳカン、Ｓ字フック等は太い針金線鋼材をＳ形状に曲げただけの仕様であり是を使用している、商業的、工業的使用が多く形状が固定し主に縦の架り物や金網へ引掛けて一方のＳカンへ物品を吊っている、針金線鋼材による簡単な仕様と安価のＳカンが広く使われているが言換えれば市場には是に換る多用途フックが無く、このＳカン、Ｓ字フックしか無いと云う事である、しかしこのＳカン、Ｓ字フックを携帯し持ち歩き人前で使用する人は皆無と思われる、この為消費者は当然高資質なもの、加えて多様性を求めていた。【０００３】特開平１０−１６５６９２回転フックが開示されている。
【発明が解決しようとする課題】
【０００４】  Ｓカンは商店などで安価に合せた商品を掛置くことが多いが高資質な商品を掛置くことは躊躇する、また鴨居などＳカンへ直に洋服をチョイ掛るとその部分に凸痕が出来て相手物を疵付けてしまう、使用も場所に選りけりである、この発明は視点を変えると日常気付かない事から新規性、意外性を発見し、従来に無い新しい方法や使い易さも生まれる、Ｓカンでは難しい用途に対応する、具体的に（１）相手物と使用者を疵付けない安全性確保には環形状フック双方の接面を広く確保する（２）別々の部材で仕様する２つの環形状フックを連結させ３６０度回転を確保し二者それぞれの働きをさせる（３）精密仕様による新規性、機能性を確保する（４）多用途性を確保する為に縦の物体例、ボード、鴨居など、横の物体例、テーブル、棚など、管の物体例、電車内パイプ、病院ベットパイプなど、網物体例、掲示網、メッシュ網など（５）機能例、折畳み携帯性コンパクト収納の方法を確保する（６）アシストグリップ施用例、機内、新幹線、電車、観光バス、軌道バス、自動車、自家用車にも施用する用具を提供する。
【課題を解決するための手段】
【０００５】請求項１、線鋼材で鋼線枠（１）、両先端部へ被軸部（２）を設け、全体を環形状に仕様することを特徴とする回転Ｓフック。
イ、先ず線鋼材を幾何学模様の鋼線枠（１）に曲げ、両先端部へ被軸部（２）を設けておく、全体を環形状に曲げバネ化し表面処理したフックであることを特徴とする回転Ｓフックである。
ロ、鋼線枠（１）とは線鋼材を長細く又は長方形に形成したものであり、幾何学模様とも表現する。
ハ、両先端の被軸部（２）片方に後述の板鋼材環形状フックの連結部が掴み固定する為設けている、一方の片端はゴムや樹脂材また別パーツを連結する際に使用する、環形状φは後述の板鋼材環形状φより若干大きく仕様しているが両者同φでも目的は同一である。
二、部材は板鋼材を打貫溝孔で対応することが出来る、またＡＢＳなど強化樹脂材で形成することができるが目的は同一である、金属表面はクロームメッキ、カチオン塗装表面処理を行う。
【０００６】請求項２、板鋼材先端部へカール部（３）、連結部（４）を設け、全体を環形状に仕様することを特徴とする請求項１へ記述した回転Ｓフック。
イ、カール部（３）とは板鋼材の片端を丸く曲げたものでありフック入り口に設けている、連結部（４）は前述の線鋼材被軸部を掴み連結する、全体を環形状に曲げバネ化し表面処理したフックであることを特徴とする回転Ｓフックである。
ロ、部材は板鋼材である、線鋼材、強化樹脂材で形成も可能である、部材の特性によりバネ化有無の選択ができるが目的は同一である。
ハ、クロームメッキ、カチオン塗装の表面処理を行う。
【０００７】請求項３、板鋼材の連結部（５）へ線鋼材の被軸部（６）を填め連結一体化したことを特徴とする請求項１へ記述した回転Ｓフック。
イ、板鋼材に設けた連結部（５）が線鋼材に設けた被軸部（６）を確実に掴み連結し両フックを一体化する。
ロ、線鋼材のフック入り口と板鋼材のフックの入り口の何れかは反対方向を向き、一面がＳ字模様を成している。
【発明を実施するための最良の形態】
【０００８】  以下図面に副って実施の形態を説明する。【０００９】図１は線鋼材の構成例を示す正面図である。
１、線鋼材へ鋼線枠（１）、両先端部へ被軸部（２）を設け、全体が環形状である事を特徴とする回転Ｓフック。
イ、鋼線枠（１）とは表現が非常に難しく色々と調査したが当て嵌まる適当な文言が見付からない、しかし図１例のように、まず線鋼材を長方形に曲げながら上下被軸部（２）横幅１２ｍｍとし片端の半分約６ｍｍに切れ目を集める、これは後述の板鋼材を連結して横幅８ｍｍを横幅１２ｍｍに通し回転させる。
ロ、実施上の目的とその方法は相手物と使用者を疵付けない、具体的に横幅の接地面積が広い、横ぶれを最小に出来る、尖りが無いため使用時の安全性も確保できる。
ハ、環形状は使用目的により大小φ形状、横幅、太細を変化させることができるが目的は同一である。【００１０】図２は板鋼材の構成例を示す側面図である。
１、板鋼材先端部へカール部（３）、連結部（４）を設け、全体が環形状であることを特徴とする請求項１へ記述した回転Ｓフック。
イ、カール部（３）とは図２例のように片方の先端へカール状に曲げた部分を指し環形状フックの入口の位置にあたる。
ロ、実施の目的は、相手物と使用者を疵付けない、具体的に板鋼材横幅８ｍｍで仕様しており接地面が広いこととカール部に尖りが無く相手物に架かっても、荷物を掛けても保全性を確保する。
ハ、また片方の先端へ連結部（４）は線鋼材外形φが治まる内径φを有しており、線鋼材の被軸部を圧入する為挿入口を狭くしてある、以上、前述の線鋼材被軸部（２）を掴み連結する所である。
二、環形状は使用目的により大小φ形状、横幅、厚薄を変化させ要求に応えるが目的は同一である。【００１１】図３は連結一体化構成例を示す側面図である。
１、板鋼材の連結部（５）へ線鋼材被軸部（６）を填め連結一体化したことを特徴とする請求項１へ記述した回転Ｓフック。
イ、線鋼材フックも板鋼材フックも連結前は単に２つのパーツが在るだけ、しかし連結部（５）へ被軸部（６）を填め連結し一体化したことで意外性、機能性、多用性が以下具体的に生まれる。
ロ、連結一体化した回転Ｓフック以下回転Ｓフックと云う。
ハ、相手物例えばグリップの太さ、形状によって上下何れかをグリップへ掛け一方にバックや手荷物を掛けて使用する。
ニ、回転Ｓフックの最大の収穫と特徴は突起が無い、Ｓの中央部で回転することである、実施上の具体例を詳細に説明すると、
ホ、各乗物で回転Ｓフックを使用中急カーブや急停車とき使用者が不意に前のめりする事が在る、この時身体が触れても押してもフックは連結部を軸に入口を閉じる作用を行う、カール部及び回転Ｓフックは使用時にこの様な安全性確保の効果を発揮する。
ヘ、また突起部やＵ形状の深いフックへ直に洋服、衣類を掛けるとその部分に凸痕ができ傷めるが回転ＳフックはＳ中央かカール巻部分に掛けるか対応が変わる、カール巻へ直に掛けても凸痕は発生しない、理由、連結部は環形状の中心部線上に設けており物体を掛けると負荷が加わる為カール部が中心部線上に移動する、この為にＵ形状が浅くなりこの事から凸痕ができない、回転作用の効果および機能性確保にも役立っている。
ト、図３例の下部に示した板鋼材フックは上部に示した線鋼材フックの中に収まる、この為コンパクトでしかも掌に収まり容易な携帯持ち歩きが可能となっている。
チ、上項目の発明が解決しようとする課題に記述のとおり相手物が縦物体でも、横物体でも、管物体でも、網物体でもアシストグリップでも上下２つの環形状φ内径に収まるものは梃子フック役として相手物を掴む、使用方法も幾通りも有り従来のＳカンが及ばなかった使用上の具体例を２例挙げ説明すると、
（１）旅行、出張、通勤など乗物内で貴重なバックや手荷物を身近に置き、読書やお茶したい時ポケットから出してアシストグリップへフックを掛けて、片方のフックに是を掛け置く、また夏場電車内で背広、上着やバックをちょい掛け汗拭き、衣類を整えたいとき、つり革パイプへ掛けて片方のフックへ上着又はバックを掛けて行う、これも安全性と使用物を傷付けない方法。
（２）研修会、勉強、買い物などの時テーブルや机にフックを押し込み掛けて一方のフックへ短時間掛け置く意外な多用性。【００１２】図４は連結一体化構成例を示す正面参考図である。
【発明の効果】
【００１３】  ユニバーサルデザインの視点が各分野で要求される今日、施設、乗物、商品等広い範囲で実現化が目に映る、現実に自動車などアシストグリップを増やしている、より多くの人が安心して使い易いデザイン、を念頭に研究開発を進めシンプルでおしゃれ、特に大切な機能性はどうか、多様性はどうか、いずれも解決を図って来た、中でもテーブル、机、棚等へ短時間だが装着できる意外性、多くの場所において、多くの相手物へ、多く掛置ける、今後は通学、通勤、出張、旅行時の携帯必需品としても使用が広がり、また家庭用品、商業用品の必需品として充分にその役割と効果を果たしてゆく。
【図面の簡単な説明】
【図１】本発明の線鋼材構成例を示す斜視図である
【図２】本発明の板鋼材構成例を示す斜視図である
【図３】本発明の連結一体化構成例を示す側面図である
【図４】本発明の連結一体化構成例を示す正面参考図である
【符号の説明】
１  鋼線枠
２  被軸部
３  カール部
４  連結部
５  板鋼材連結部
６  線鋼材被軸部
【図１】
2006314738.tif 000003
【図２】
2006314738.tif 000004
【図３】
2006314738.tif 000005
【図４】
2006314738.tif 000006